(57)【要約】【課題】夜間でも表示情報を明るく表示することができるとともに、表示情報の変更を容易に行うことのできる電柱用表示装置を提供する。【解決手段】電柱１の外周面に沿って湾曲するように形成した表示部１０を電柱１に設置するとともに、表示部１０を多数のＬＥＤによって形成し、各ＬＥＤによる発光パターンを制御することにより表示部１０に任意の表示情報を表示するようにしたので、各ＬＥＤの発光により表示情報を常に明るく表示することができ、夜間等の暗い場所においても表示効果を低下させることがないという利点がある。また、各ＬＥＤによる発光パターンを変えることにより表示情報を変更することができるので、従来のように広告主や広告内容が変わるたびに新たな広告を印刷したものに取り替える必要がなく、表示情報の変更を極めて容易に行うことができる。【選択図】図１
2020030310.tif 000002
【特許請求の範囲】
【請求項１】
電柱の外周面に沿って湾曲するように形成された表示部を備え、表示部に任意の表示情報を表示する電柱用表示装置において、
前記表示部を形成する複数の発光素子と、
各発光素子による発光パターンを制御することにより表示部に任意の表示情報を表示する表示制御手段とを備えた
ことを特徴とする電柱用表示装置。
【請求項２】
前記表示部を電柱の半周以上に亘るように形成した
ことを特徴とする請求項１記載の電柱用表示装置。
【請求項３】
前記表示制御手段は、複数種類の表示情報を切換可能に表示部に表示するように各発光素子を制御する
ことを特徴とする請求項１または２記載の電柱用表示装置。
【請求項４】
前記表示制御手段は、複数種類の表示情報の一つとして任意の広告を表示部に表示するように各発光素子を制御する
ことを特徴とする請求項３記載の電柱用表示装置。
【請求項５】
前記表示制御手段は、複数種類の表示情報の一つとして任意の警報を表示部に表示するように各発光素子を制御する
ことを特徴とする請求項３記載の電柱用表示装置。
【請求項６】
前記表示制御手段は、複数種類の表示情報の一つとして任意の避難誘導案内を表示部に表示するように各発光素子を制御する
ことを特徴とする請求項３記載の電柱用表示装置。
【請求項７】
前記表示制御手段は、複数の電柱に配置される表示部の各発光素子を互いに関連づけて制御する
ことを特徴とする請求項１乃至６の何れか一項記載の電柱用表示装置。
【請求項８】
前記表示制御手段は、表示部側に配置された表示部側制御部と、表示部側制御部に通信手段を介して接続された中央制御部とを備え、中央制御部からの表示情報に基づいて表示部側制御部が各発光素子の発行パターンを制御する
ことを特徴とする請求項１乃至７の何れか一項記載の電柱用表示装置。
【請求項９】
前記電柱の近傍の物体を検知する物体検知手段を備え、
前記表示制御手段は、物体検知手段によって物体を検知すると表示部の表示情報を他の表示情報に切り換える
ことを特徴とする請求項１乃至８の何れか一項記載の電柱用表示装置。
【請求項１０】
前記表示部の各発光素子を駆動するバッテリを備えた
ことを特徴とする請求項１乃至９の何れか一項記載の電柱用表示装置。
【発明の詳細な説明】
【技術分野】
【０００１】
本発明は、道路脇等に設けられている電柱に設置され、広告等の表示情報を表示する電柱用表示装置に関するものである。
【背景技術】
【０００２】
従来、道路脇等に設けられている電柱には、企業名や店舗名等の広告を表示した広告板が電柱の外周面に沿って湾曲するように設置されている。しかしながら、このような広告板は湾曲した金属板に広告を印刷したものにすぎず、夜間の暗い場所では目立たず広告効果が著しく低下する。
【０００３】
そこで、広告を表示する表示部の両側にＬＥＤ等の光源を設け、光源によって広告面を照明することにより、夜間でも広告を明るく表示するようにしたものが知られている（例えば、特許文献１参照）。
【先行技術文献】
【特許文献】
【０００４】
【特許文献１】特許第５６１０４９９号公報
【発明の概要】
【発明が解決しようとする課題】
【０００５】
しかしながら、前述のように広告面を照明する光源を備えたものにおいても、広告表示自体は印刷されたものであり、表示内容を変える場合は表示部自体を取り替える必要がある。このため、広告主や広告内容が変わるたびに新たな広告を印刷したものに取り替えなければならず、汎用性に劣るという問題点があった。
【０００６】
本発明は上記事情に鑑みてなされたものであり、その目的とするところは、夜間でも表示情報を明るく表示することができるとともに、表示情報の変更を容易に行うことのできる電柱用表示装置を提供することにある。
【課題を解決するための手段】
【０００７】
本発明は前記目的を達成するために、電柱の外周面に沿って湾曲するように形成された表示部を備え、表示部に任意の表示情報を表示する電柱用表示装置において、前記表示部を形成する複数の発光素子と、各発光素子による発光パターンを制御することにより表示部に任意の表示情報を表示する表示制御手段とを備えている。
【０００８】
これにより、各発光素子による発光パターンを制御することにより、表示部に任意の表示情報が表示されることから、各発光素子の発光により表示情報が常に明るく表示されるとともに、各発光素子による発光パターンを変えることにより表示情報が変更される。
【発明の効果】
【０００９】
本発明によれば、各発光素子の発光により表示情報を常に明るく表示することができるので、夜間等の暗い場所においても表示効果を低下させることがないという利点がある。また、各発光素子による発光パターンを変えることにより表示情報を変更することができるので、従来のように広告主や広告内容が変わるたびに新たな広告を印刷したものに取り替える必要がなく、表示情報の変更を極めて容易に行うことができる。
【図面の簡単な説明】
【００１０】
【図１】本発明の第１の実施形態を示す電柱用表示装置の斜視図
【図２】電柱用表示装置のブロック図
【図３】表示部の要部拡大正面図
【図４】電柱への表示部の設置工程を示す一部平面断面図
【図５】電柱への表示部の設置状態を示す一部平面断面図
【図６】電柱への表示部の設置状態を示す平面図
【図７】表示部の表示パターンの制御例を示すタイムチャート
【図８】表示部の表示パターンの制御例を示すタイムチャート
【図９】表示部の表示パターンの制御例を示すタイムチャート
【図１０】表示部の表示パターンの制御例を示すタイムチャート
【図１１】表示部の表示例を示す正面図
【図１２】表示部の表示例を示す正面図
【図１３】表示部の表示例を示す正面図
【図１４】表示部の表示例を示す正面図
【図１５】表示部の表示パターンの他の制御例を示すタイムチャート
【図１６】本発明の第２の実施形態を示す電柱用表示装置の斜視図
【図１７】電柱への表示部の設置状態を示す平面図
【図１８】表示部の表示例を示す正面図
【図１９】表示部の表示例を示す側面図
【図２０】表示部の制御例を示す平面図
【図２１】表示部の表示例を示す正面図
【発明を実施するための形態】
【００１１】
図１乃至図１５は本発明の第１の実施形態を示すもので、広告等の表示情報を表示する電柱用表示装置を示すものである。
【００１２】
本実施形態の表示装置は、電柱１に取り付けられる表示部１０と、表示部１０の周囲の物体を検知する物体センサ２０と、表示部１０を駆動するバッテリ３０と、表示部１０側に配置される表示部側制御部４０と、平常時の管理者としての第１の管理センター２に配置される中央制御部５０と、第１の管理センター２に配置される第１の管理者端末６０と、非常時の管理者としての第２の管理センター３に配置される第２の管理者端末７０と備えている。
【００１３】
表示部１０は、発光素子としての多数のＬＥＤ１１と、各ＬＥＤ１１が設けられたベース部材１２とからなり、ベース部材１２は電柱１の外周面に沿って湾曲可能に形成されている。各ＬＥＤ１１は表示部１０の上下方法及び幅方向に複数ずつ配列され、表示部１０のほぼ全面に亘って表示情報の表示領域Ｐを形成している。ベース部材１２は、互いに幅方向に配列された多数の縦長の凸部１２ａと、各凸部１２ａの背面側に一体に形成された可撓性のシート状部１２ｂとからなり、各凸部１２ａにはＬＥＤ１１が一列ずつ配置されている。また、表示部１０は幅方向の寸法が電柱１の外周面の１／３の長さに形成されている。更に、表示部１０の下端には、物体センサ２０、バッテリ３０及び表示部側制御部４０が配置される機器ユニット１３が設けられている。
【００１４】
物体センサ２０は、光センサ、超音波センサ、ミリ波レーダ等の周知の機器からなり、機器ユニット１３の前面に取り付けられている。
【００１５】
バッテリ３０は、外部電源によって蓄電する周知の機器からなり、電柱１から給電されるようになっている。この場合、表示部１０の各ＬＥＤ１１は通常、外部電源によって駆動され、停電等によって外部電源からの給電が遮断されると、バッテリ３０によって表示部１０の各ＬＥＤ１１が駆動されるようになっている。また、電柱１にソーラーパネルを設置し、ソーラーパネルによる太陽光発電でバッテリ３０に給電するようにしてもよい。
【００１６】
表示部側制御部４０は、マイクロコンピュータによって構成され、表示部１０、物体センサ２０及びバッテリ３０に接続されている。また、表示部側制御部４０には、中央制御部５０から送信される制御信号を受信する受信部４１が接続されている。表示部側制御部４０は、予め設定された広告等の表示情報を表示するように各ＬＥＤ１１の表示パターンを制御するとともに、中央制御部５０から制御信号を受信した場合は、中央制御部５０によって各ＬＥＤ１１の表示パターンを制御するようになっている。この場合、各ＬＥＤ１１のそれぞれの点灯、消灯または発光色の違いによって任意の表示パターンを表示することができる。
【００１７】
中央制御部５０は、サーバによって構成され、送信部５１，６１を介して表示部側制御部４０に制御信号を無線通信によって送信することにより、表示部１０に任意の表示情報を表示するように表示部側制御部４０を制御するようになっている。この場合、中央制御部５０は、第２の管理者端末７０から入力される表示情報を第１の管理者端末６０から入力される表示情報に優先して表示部側制御部４０に送信するようになっている。
【００１８】
第１の管理者端末６０は、第１の管理センター２に配置されるパーソナルコンピュータによって構成されている。第１の管理センター２は、広告代理店等、表示部１０に表示される広告表示を管理する事業者側に設置され、第１の管理センター２の第１の管理者端末６０によって表示部側制御部４０に広告等の表示情報が送信されるようになっている。
【００１９】
第２の管理者端末７０は、第２の管理センター３に配置されるパーソナルコンピュータによって構成されている。第２の管理センター３は、地方自治体の災害対応部署等に設置され、第２の管理センター３の第２の管理者端末７０によって表示部側制御部４０に警報や避難誘導等の表示情報が送信されるようになっている。
【００２０】
以上のように構成された表示装置においては、図４に示すように表示部１０のベース部材１２を電柱１の外周面に沿って湾曲させて表示部１０を電柱１に取り付ける。この場合、例えばベース部材１２に連結されたワイヤを電柱１に巻き付けることにより表示部１０が電柱１に固定される。
【００２１】
ここで、表示部側制御部４０及び中央制御部５０の動作について説明する。
【００２２】
まず、表示部側制御部４０では、中央制御部５０によって送信される第１の管理者端末６０からの表示情報に基づいて、図７に示すように複数の広告表示を所定時間おきに切り換えて表示する。例えば、図１１に示すように広告Ａ1 「（株）ＸＹＺ」、広告Ａ2 「ＡＢＣ商店」、広告Ａ3 「〇×クリニック」を４時間ずつ順次切り換えて表示する。また、１８時から６時までは、電柱１の近傍を通過する人や車等を物体センサ２０によって検知すると、図８に示すように所定時間ｔ1 （例えば１０秒間）だけ全てのＬＥＤ１１を発光させ、図１２に示すように街灯照明Ｌとして周囲を照明する。尚、１８時から６時までを除く時間帯（日中）に物体センサ２０によって通行人等を検知した場合は街灯照明Ｌへの切り換えは行わない。
【００２３】
次に、中央制御部５０では、災害等の緊急事態が発生した場合に、中央制御部５０によって送信される第２の管理者端末７０からの表示情報に基づいて、図９に示すように警報表示を表示部１０に表示する。例えば、地震が発生し、第２の管理センター３で「地震発生」の警報を表示するように第２の管理者端末７０から警報情報を入力すると、中央制御部５０から表示部側制御部４０に表示切り換えの制御信号が送信され、図１３に示すように表示部側制御部４０が表示部１０の表示を広告表示Ａ1 から警報表示Ｂに切り換える。この場合、災害により停電が生じた場合は、表示部１０がバッテリ３０を電源として駆動される。この後、第２の管理センター３で警報表示を解除するように中央制御部５０に解除情報を入力すると、中央制御部５０から表示部側制御部４０に表示切り換えの制御信号が送信され、表示部側制御部４０が表示部１０の表示を警報表示から広告表示に切り換える。
【００２４】
また、中央制御部５０では、図１０に示すように表示部側制御部４０を表示部１０の表示を広告表示から「地震発生」の警報表示Ｂに切り換えた後、避難誘導が必要な場合は、第２の管理センター３で、例えば「避難場所→〇〇公園」の避難誘導を表示するように第２の管理者端末７０から避難誘導情報を入力すると、中央制御部５０から表示部側制御部４０に表示切り換えの制御信号が送信され、図１４に示すように表示部側制御部４０が表示部１０の表示を警報表示Ｂから避難誘導表示Ｃに切り換える。この場合も災害により停電が生じた場合は、表示部１０がバッテリ３０を電源として駆動される。この後、第２の管理センター３で避難誘導表示Ｃを解除するように第２の管理者端末７０から避難誘導解除情報を入力すると、中央制御部５０から表示部側制御部４０に表示切り換えの制御信号が送信され、表示部側制御部４０が表示部１０の表示を避難誘導表示Ｃから広告表示に切り換える。
【００２５】
このように、本実施形態によれば、電柱１の外周面に沿って湾曲するように形成した表示部１０を電柱１に設置するとともに、表示部１０を多数のＬＥＤ１１によって形成し、各ＬＥＤ１１による発光パターンを制御することにより表示部１０に任意の表示情報を表示するようにしたので、各ＬＥＤ１１の発光により表示情報を常に明るく表示することができ、夜間等の暗い場所においても表示効果を低下させることがないという利点がある。
【００２６】
また、各ＬＥＤ１１による発光パターンを変えることにより表示情報を変更することができるので、従来のように広告主や広告内容が変わるたびに新たな広告を印刷したものに取り替える必要がなく、表示情報の変更を極めて容易に行うことができる。
【００２７】
この場合、複数の広告表示を所定時間おきに切り換えて表示することにより、１本の電柱１で複数の広告主の広告を行うことができ、１つの表示部１０における広告料の増収を図るようにしたり、或いは複数の広告を表示可能な分だけ一つの広告の広告料の低価格化を図るなど、電柱広告の経済的利用価値を高めることができる。
【００２８】
また、表示情報としての警報を表示部１０に表示するようにしたので、例えば地震、豪雨、落雷、津波、猛暑等の警報を電柱１の周囲の通行人や自動車等の道路利用者に対して表示することができ、警報内容に対する迅速な対応を促すことができる。
【００２９】
更に、表示情報としての避難誘導を表示部１０に表示するようにしたので、例えば震災や水害等の災害発生時に、被災者に対して電柱１の表示部１０に避難場所を表示することができ、避難誘導を円滑に行うことができる。
【００３０】
また、表示部１０側に配置された表示部側制御部４０と、表示部側制御部４０に通信手段としての受信部４１及び送信部５１を介して接続された中央制御部５０とを備え、中央制御部５０によって表示部側制御部４０が各ＬＥＤ１１を制御するようにしたので、表示部１０の表示を中央制御部５０によって切り換えることができる。これにより、複数の電柱１にそれぞれ配置された複数の表示部１０の表示を一括して制御することができ、例えば複数の表示部１０の広告表示を一斉に切り換えたり、或いは複数の地域に配置される電柱１ごとに表示部１０の広告表示を入れ替えて表示することも可能である。また、警報表示や避難誘導表示も中央制御部５０によって任意の表示に切り換えることができるので、災害の種類は勿論のこと、避難誘導場所についても地域の被害状況に応じた任意の場所を表示することができる。
【００３１】
更に、電柱１の近傍の物体を物体センサ２０によって検知すると、表示部１０の表示情報を広告表示から街灯照明に切り換えるようにしたので、夜間の人通りの少ない暗い場所でも電柱１の表示部１０によって照明することができるので、防犯にも効果的であるという利点がある。
【００３２】
また、表示部１０の各ＬＥＤ１１を駆動するバッテリ３０を備えているので、災害等により停電が生じた場合でもバッテリ３０を電源として表示部１０を駆動することができるので、停電状態においても表示部１０によって警報や避難誘導を行うことができる。この場合、電力施設の障害による停電等、警報や避難誘導を必要としない場合は、表示部１０を街灯照明に切り換えることにより、停電時の非常灯として利用することも可能である。
【００３３】
尚、前記実施形態では、電柱１の近傍の物体を物体センサ２０によって検知すると、表示部１０の表示情報を広告表示から街灯照明に切り換えるようにしたものを示したが、日中は複数の広告表示を所定時間おきに切り換えて表示するとともに、夜間は街灯として照明するようにしてもよい。例えば、図１５に示すように、６時から１８時までは広告Ａ1 「（株）ＸＹＺ」、広告Ａ2 「ＡＢＣ商店」、広告Ａ3 「〇×クリニック」を４時間ずつ順次切り換えて表示し、１８時から６時までは全てのＬＥＤ１１を発光させるようにすれば、夜間は街灯として常時周囲を照明することができる。
【００３４】
更に、前記実施形態では、表示部１０に表示する広告表示として複数のＡ1 〜Ａ3 を所定時間おきに切り換えて表示するようにしたものを示したが、単一の広告を常時表示するようにしてもよい。この場合、例えば広告主との契約期間が終了した後は、他の広告主の広告表示に切り換える。
【００３５】
また、前記実施形態では、表示部１０を幅方向の寸法が電柱１の外周面の１／３の長さに形成したものを示したが、図１６乃至図１８の第２の実施形態に示すように、表示部１０を電柱１の外周面の全周に亘るように形成してもよい。
【００３６】
これにより、図１７に示すように表示部１０を周方向３つの表示領域Ｐ1 〜Ｐ3 に分割し、各表示領域Ｐ1 〜Ｐ3 に互いに異なる表示情報を表示することができる。例えば、図１８に示すように各表示領域Ｐ1 〜Ｐ3 にそれぞれ広告Ａ1 「（株）ＸＹＺ」、広告Ａ2 「１ＢＣ商店」、広告Ａ3 「〇×クリニック」を表示するようにすれば、一本の電柱１の表示部１０に複数の広告を同時に表示することができる。この場合、各広告Ａ1 〜Ａ3 を所定時間おきに異なった表示領域Ｐ1 〜Ｐ3 に表示するようにすれば、通行人等から広告が見える方向を順次変えることができ、各広告Ａ1 〜Ａ3 を電柱１の周囲に対して満遍なく表示することができる。また、各広告Ａ1 〜Ａ3 の表示位置を切り換える際に、各広告Ａ1 〜Ａ3 の表示が電柱１の周方向に回転しながら位置変更するような表示にすれば、通行人等の注意を惹くことができ、広告効果を高めることができる。
【００３７】
尚、第２の実施形態では、表示部１０を電柱１の外周面の全周に亘るように形成したものを示したが、電柱１の外周面の半周以上に亘って形成されていればよい。例えば、壁に接近して設置される電柱では、壁側まで表示部１０を形成する必要はない。
【００３８】
更に、複数の電柱１に配置される表示部１０の表示を互いに関連づけて制御するようにすれば、複数の電柱１の表示部１０によって多様な表示が可能になる。例えば、図１９に示すように、避難場所の方向を示す避難誘導表示Ｃを非難方向に沿って各電柱１の表示部１０に順次表示するようにすれば、避難者に対して避難方向をより確実に示すことができる。
【００３９】
また、図２０(a) に示すように道路４の交差点近傍に配置された電柱１の表示部１０を、交差点よりも手前に配置された電柱１の表示部１０の物体センサ２０を用いて制御するようにしてもよい。例えば、図２０(b) に示すように交差点よりも１本手前に配置された電柱１の表示部１０の物体センサ２０が車両５を検知すると、道路４の交差点近傍に配置された電柱１の表示部１０の表示を、図２１に示すように広告表示（例えば広告Ａ1 「（株）ＸＹＺ」）から交通安全用の注意喚起表示Ｄ「交差点注意」に切り換えるようにすれば、車両５の運転者のみならず、交差点近傍の歩行者や他の車両の運転者に注意喚起をすることができ、夜間や見通しの悪い交差点における事故防止に効果的である。この場合、注意喚起表示Ｄを点滅させるなど、注意喚起表示Ｄを目立つように表示すればより効果的である。
【００４０】
更に、前記実施形態では、表示部１０の表示部側制御部４０を中央制御部５０によって制御するようにしたものを示したが、中央制御部５０を設けずに表示部側制御部４０のみによって表示部１０を単独に制御するようにしてもよい。この場合、表示部１０ごとに設けた記憶装置に表示情報を記憶しておき、記憶装置の表示情報に基づいて表示部側制御部４０が各ＬＥＤ１１の発光パターンを制御する。その際、記憶装置の表示情報をＩＣチップ等の記憶媒体を用いて書き換えることにより、表示情報を任意に変更することができる。
【００４１】
尚、本発明は、前記実施形態で示した表示部１０による表示例に限られるものではなく、例えば年中行事やイベント等において複数の電柱１の表示部１０によってイルミネーションを表示したり、或いは天気予報、イベント案内、ニュース等、その他の各種情報を表示することも可能である。
【符号の説明】
【００４２】
１…電柱、１０…表示部、１１…ＬＥＤ、２０…物体センサ、３０…バッテリ、４０…表示部側制御部、４１…受信部、５０…中央制御部、５１…送信部。
【図１】
2020030310.tif 000003
【図２】
2020030310.tif 000004
【図３】
2020030310.tif 000005
【図４】
2020030310.tif 000006
【図５】
2020030310.tif 000007
【図６】
2020030310.tif 000008
【図７】
2020030310.tif 000009
【図８】
2020030310.tif 000010
【図９】
2020030310.tif 000011
【図１０】
2020030310.tif 000012
【図１１】
2020030310.tif 000013
【図１２】
2020030310.tif 000014
【図１３】
2020030310.tif 000015
【図１４】
2020030310.tif 000016
【図１５】
2020030310.tif 000017
【図１６】
2020030310.tif 000018
【図１７】
2020030310.tif 000019
【図１８】
2020030310.tif 000020
【図１９】
2020030310.tif 000021
【図２０】
2020030310.tif 000022
【図２１】
2020030310.tif 000023